(57)【要約】      （修正有）【課題】ワークのメッキ用ハンガへの懸架作業の能率化と疲労の軽減化を図る昇降作業台装置を提供する。【解決手段】台枠８に立設した支台支柱の頂端に滑車１２を配備し、その滑車を中心に支台支柱の正面側にはレールを形成し、前記滑車に案内されて正面側に垂下する吊り索１７の先端に連結される懸架スライダ１５を前記レールにより規制し、前記滑車から支柱の背面側に案内された前記吊り索の基端を支台支柱の背面側に配備されたエアシリンダ２１のピストンロッド２２の先端に連結し、エアシリンダのピストンロッドの昇降作動により前記懸架スライダを昇降自在に配備し、懸架スライダに吊架するメッキ用ハンガ２の背面を支える傾斜支承面を支台支柱に支えられる左サイドガイドロッド２７ａと右サイドガイドロッドとから設け、メッキ用ハンガを昇降自在に配置し、ワーク７の懸架作業を容易な範囲に設定できることを特徴とする。【選択図】図２
2015013710.tif 000002
【特許請求の範囲】
【請求項１】
台枠に立設した支台支柱の頂端に滑車を配備し、その滑車を中心に支台支柱の正面側にはレールを形成し、前記滑車に案内されて正面側に垂下する吊り索の先端に連結される懸架スライダを前記レールにより規制し、前記滑車から支柱の背面側に案内された前記吊り索の基端を支台支柱の背面側に配備されたエアシリンダのピストンロッドの先端に連結し、エアシリンダのピストンロッドの昇降作動により前記懸架スライダを昇降自在に配備し、懸架スライダに吊架するメッキ用ハンガの背面を支える傾斜支承面を支台支柱に支えられる左サイドガイドロッドと右サイドガイドロッドとから設け、メッキ用ハンガを昇降自在に配置し、ワークの懸架作業を容易な範囲に設定できることを特徴とするメッキ用ハンガの昇降作業台装置。
【請求項２】
前記メッキ用ハンガは、上端に吊下フックを備えた縦主杆に上下に所要の間隔を存し、左右の両側に所要長さ突出する又は左右の縦主杆から内側に差渡される第１横支杆、第２横支杆、第３横支杆及び第４横支杆が少なくとも配備され、前記第１横支杆、第２横支杆、第３横支杆及び第４横支杆には、縦主杆から夫々横方向に一定の間隔で下端にワークを懸架するワーク用フックが配備されてなる請求項１のメッキ用ハンガの昇降作業台装置。
【請求項３】
前記支台支柱は、側面形状が逆Ｖ字形に接続される前側支台支柱と後側支台支柱とからなる請求項１又は請求項２のメッキ用ハンガの昇降作業台装置。
【請求項４】
前記支台支柱の正面側のレールは前側支台支柱に設け、前記懸架スライダは、正面板の上縁が前記メッキ用ハンガの吊下フックの吊下フック掛部に設けられ、左側板と右側板の上部に吊り索の先端を連結する連結軸が差し渡され、左側板と右側板の内側面に前記前側支台支柱の左右の正面と背面に連接する左正面側コロと左背面側コロ及び右正面側コロと右背面側コロが配備されてなる請求項３のメッキ用ハンガの昇降作業台装置。
【請求項５】
左サイドガイドロッドと右サイドガイドロッドは、夫々中央部が前記後側支台支柱の正面に溶着され、上左腕部と上右腕部を伸ばす上支杆と、同じく、同様の構成の下支杆が配備され、それら上支杆と下支杆の左右腕部の先端に固着されて配備されてなる請求項３のメッキ用ハンガの昇降作業台装置。
【請求項６】
前記エアシリンダは、後側支台支柱の下半部の溝部内に配備され、該エアシリンダの上部と下部に足踏み操作弁を介してエア供給装置に接続されてなる請求項３のメッキ用ハンガの昇降作業台装置。
【発明の詳細な説明】
【技術分野】
【０００１】
本発明は、メッキ用ハンガの昇降作業台装置に関するものである。
【背景技術】
【０００２】
特許文献１は、組立用の作業台が配設された組立用搬送車において、第１および第２の作業台１、２が配設され、第１の作業台１が昇降装置３を備え、必要に応じて高さを変え得るように構成され、第２の作業台が、組立用搬送車上に固定された固定の作業台によって構成され、前記第２の作業台２に前記昇降装置の高さ設定スイッチ４が配設されている組立用搬送車が提案されている。
【０００３】
特許文献２は、ワーク２の両端がワーク保持用円盤１０に固定され、ワーク２がワーク保持用円盤１０の間に配置されたワーク昇降台２０に支持され、ワーク２を固定したままワーク保持円盤１０が同円盤の下方に配置された円盤回転台３０により回転される電機設備盤の組立作業用装置が提案されている。
【０００４】
特許文献３は、ワークシュータ１３は、搬送面４３が下り勾配に形成され、搬送面４３上の先頭のワークスタック１２の前進を制限する第１可動ストッパ４７と、搬送面４３上の次のワークスタック１２の前進を制限する第２可動ストッパ５１とを備えていて、第１可動ストッパ４７と第２可動ストッパ５１のいずれか一方がストッパ状態で、他方がストッパ解除状態に制御される作業装置が提案されている。
【先行技術文献】
【特許文献】
【０００５】
【特許文献１】特開２００１−１０６４８５号公報
【特許文献３】特開２００７−３１３５８５号公報
【特許文献２】特開２００８−２６５９０７号公報
【発明の概要】
【発明が解決しようとする課題】
【０００６】
前記特許文献１の組立用搬送車は、作業者の変動する作業テーブルの上下位置に応じた操作位置の変更を不要にするとともに、作業者の作業中における前記ジャッキ操作杆の面倒な操作を不要にすることを目的になされたものである。
【０００７】
前記特許文献２の電機設備盤の組立作業用装置は、作業者の作動移動を僅少化し、かつ楽な姿勢を保った状態での作業を可能にし、また、少ないスペースで作業を行うことができ、従って作業効率を向上させると共に省作業スペース化を図ることができることを目的になされたものである。
【０００８】
前記特許文献３の作業装置は、ワークシュータ１３の載せ替え作業の時間を短縮し、効率的な作業を行うことができる装置の提供を目的になされたものである。
【０００９】
本発明のメッキ用ハンガの昇降作業台装置は、作業者の作業移動を少なくしてメッキワークの掛脱の作業の能率化と、作業者の楽な姿勢を保った状態での作業を可能にして疲労の軽減を図る装置の提供にある。
【課題を解決するための手段】
【００１０】
台枠に立設した支台支柱の頂端に滑車を配備し、その滑車を中心に支台支柱の正面側にはレールを形成し、前記滑車に案内されて正面側に垂下する吊り索の先端に連結される懸架スライダを前記レールにより規制し、前記滑車から支柱の背面側に案内された前記吊り索の基端を支台支柱の背面側に配備されたエアシリンダのピストンロッドの先端に連結し、エアシリンダのピストンロッドの昇降作動により前記懸架スライダを昇降自在に配備し、懸架スライダに吊架するメッキ用ハンガの背面を支える傾斜支承面を支台支柱に支えられる左サイドガイドロッドと右サイドガイドロッドとから設け、メッキ用ハンガを昇降自在に配置し、ワークの懸架作業を容易な範囲に設定できることを特徴とするメッキ用ハンガの昇降作業台装置にある。
【００１１】
前記メッキ用ハンガは、上端に吊下フックを備えた縦主杆に上下に所要の間隔を存し、左右の両側に所要長さ突出する又は左右の縦主杆から内側に差渡される第１横支杆、第２横支杆、第３横支杆及び第４横支杆が少なくとも配備され、前記第１横支杆、第２横支杆、第３横支杆及び第４横支杆には、縦主杆から夫々横方向に一定の間隔で下端にワークを懸架するワーク用フックが配備されてなるものとしてもよいものである。
【００１２】
前記支台支柱は、側面形状が逆Ｖ字形に接続される前側支台支柱と後側支台支柱とからなるものとしてもよいものである。
【００１３】
前記支台支柱の正面側のレールは前側支台支柱に設け、前記懸架スライダは、正面板の上縁が前記メッキ用ハンガの吊下フックの吊下フック掛部に設けられ、左側板と右側板の上部に吊り索の先端を連結する連結軸が差し渡され、左側板と右側板の内側面に前記前側支台支柱の左右の正面と背面に連接する左正面側コロと左背面側コロ及び右正面側コロと右背面側コロが配備されてなるものとしてもよいものである。
【００１４】
左サイドガイドロッドと右サイドガイドロッドは、夫々中央部が前記後側支台支柱の正面に溶着され、上左腕部と上右腕部を伸ばす上支杆と、同じく、同様の構成の下支杆が配備され、それら上支杆と下支杆の左右腕部の先端に固着されて配備されてなるものとしてもよいものである。
【００１５】
前記エアシリンダは、後側支台支柱の下半部の溝部内に配備され、該エアシリンダの上部と下部に足踏み操作弁を介してエア供給装置に接続されてなるものとしてもよいものである。
【発明の効果】
【００１６】
本発明のメッキ用ハンガの昇降作業台装置は、前述のように構成されるから、メッキワークの掛脱の作業の能率化と、作業者の疲労の軽減に寄与するものである。
【図面の簡単な説明】
【００１７】
【図１】本発明のメッキ用ハンガの昇降作業台装置にメッキ用ハンガをセットした作業状態を示す正面図である。
【図２】同じく、本発明のメッキ用ハンガの昇降作業台装置にメッキ用ハンガをセットした作業状態の一部切欠き断面で示す側面図である。
【図３】図２のＡ−Ａ線に沿う一部断面平面図で、本発明のメッキ用ハンガの昇降作業台装置の昇降作業台の台枠を示すものである。
【図４】本発明のメッキ用ハンガの昇降作業台装置に使用するメッキ用ハンガ単体を示す正面図である。
【図５】本発明のメッキ用ハンガの昇降作業台装置の上半部の拡大部分正面図である。
【図６】同じく、本発明のメッキ用ハンガの昇降作業台装置の上半部の拡大部分側面図である。
【図７】図６のＢ−Ｂ線に沿う一部断面平面図で、本発明のメッキ用ハンガの昇降作業台装置の昇降作業台においてメッキ用ハンガの背面を支える傾斜支承面を構成する左サイドガイドロッドと右サイドガイドロッド及びその支持構造を示すものである。
【発明を実施するための形態】
【００１８】
台枠に立設した支台支柱の頂端に滑車を配備し、その滑車を中心に支台支柱の正面側にはレールを形成し、前記滑車に案内されて正面側に垂下する吊り索の先端に連結される懸架スライダを前記レールにより規制し、前記滑車から支柱の背面側に案内された前記吊り索の基端を支台支柱の背面側に配備されたエアシリンダのピストンロッドの先端に連結し、エアシリンダのピストンロッドの昇降作動により前記懸架スライダを昇降自在に配備し、懸架スライダに吊架するメッキ用ハンガの背面を支える傾斜支承面を支台支柱に支えられる左サイドガイドロッドと右サイドガイドロッドとから設け、メッキ用ハンガを昇降自在に配置し、ワークの懸架作業を容易な範囲に設定できることを特徴とするメッキ用ハンガの昇降作業台装置であって、前記メッキ用ハンガは、上端に吊下フックを備えた縦主杆に上下に所要の間隔を存し、左右の両側に所要長さ突出する又は左右の縦主杆から内側に差渡される第１横支杆、第２横支杆、第３横支杆及び第４横支杆が少なくとも配備され、前記第１横支杆、第２横支杆、第３横支杆及び第４横支杆には、縦主杆から夫々横方向に一定の間隔で下端にワークを懸架するワーク用フックが配備され、前記支台支柱は、側面形状が逆Ｖ字形に接続される前側支台支柱と後側支台支柱とからなり、前記支台支柱の正面側のレールは前側支台支柱に設け、前記懸架スライダは、正面板の上縁が前記メッキ用ハンガの吊下フックの吊下フック掛部に設けられ、左側板と右側板の上部に吊り索の先端を連結する連結軸が差し渡され、左側板と右側板の内側面に前記前側支台支柱の左右の正面と背面に連接する左正面側コロと左背面側コロ及び右正面側コロと右背面側コロが配備されてなり、左サイドガイドロッドと右サイドガイドロッドは、夫々中央部が前記後側支台支柱の正面に溶着され、上左腕部と上右腕部を伸ばす上支杆と、同じく、同様の構成の下支杆が配備され、それら上支杆と下支杆の左右腕部の先端に固着されて配備されてなり、前記エアシリンダは、後側支台支柱の下半部の溝部内に配備され、該エアシリンダの上部と下部に足踏み操作弁を介してエア供給装置に接続されてなるメッキ用ハンガの昇降作業台装置。
【実施例】
【００１９】
以下、本発明のメッキ用ハンガの昇降作業台装置を図面に示す実施例のメッキ用ハンガの昇降作業台装置１により説明すると、本発明のメッキ用ハンガの昇降作業台装置１は、メッキ用ハンガ２を上下に昇降自在に懸架する昇降作業台３から構成される。
【００２０】
図４の実施例に示すように、上端に吊下フック４ａを備えた縦主杆４に上下に所要の間隔を存し、左右に所要長さ突出する第１横支杆５ａ、第２横支杆５ｂ、第３横支杆５ｃ及び第４横支杆５ｄが配備される。前記第１横支杆５ａ、第２横支杆５ｂ、第３横支杆５ｃ及び第４横支杆５ｄには、縦主杆４から夫々左右の横方向に一定の間隔で下端にワーク７を懸架するワーク用フック６が配備される。
【００２１】
前記昇降作業台３は、先ず、下端が方形台枠８に設けられ、その方形台枠８から架台となる前側支台支柱９と後側支台支柱１０が側面逆Ｖ字形に起立設される。
【００２２】
前記方形台枠８は、角形鋼管が接続されて方形に設けられ、その方形台枠８の内側に、前後に離隔し、左右端が方形台枠８の内側面に角形鋼管が接続されて前側中間台枠１１ａと後側中間台枠１１ｂが配備される。
【００２３】
前記前側支台支柱９の下端背面は前記前側中間台枠１１ａに接続され、前記後側支台支柱１０の下端正面は前記前側中間台枠１１ａに接続される。
【００２４】
前記前側支台支柱９は、溝形鋼が用いられ、その上端底面と前記後側支台支柱１０の上端底面とは突合し、滑車１２の支軸１３の左右端を支承する上半部を備える左側支板１４ａと右側支板１４ｂの下半部により接続されて一体に設けられる。
【００２５】
前記昇降作業台３は、前記前側支台支柱９に沿って昇降する懸架スライダ１５が配備される。この懸架スライダ１５は、方形の正面板１５ａの両側縁に、左側板１５ｂと右側板１５ｃが背面側に接続され、前側支台支柱９を正面側から内側に囲むコ字枠形に形成される。
【００２６】
前記懸架スライダ１５は、正面板１５ａの上縁１５ａ１が前記メッキ用ハンガ２の吊下フック４ａの吊下フック掛部１６に設けられる。
【００２７】
前記懸架スライダ１５は、左側板１５ｂと右側板１５ｃの上部に吊り索１７の先端を連結する連結軸１８が差し渡されて配備される。
【００２８】
前記懸架スライダ１５は、左側板１５ｂと右側板１５ｃの内側面に前記前側支台支柱９の左右の正面と背面に連接する左正面側コロ１９ａと左背面側コロ２０ａ及び右正面側コロ１９ｂと右背面側コロ２０ｂを夫々回転自在に軸支する支軸が配備される。
【００２９】
前記吊り索１７は、先端を懸架スライダ１５に連結し、基端との中間を前記滑車１２に案内されて前記後側支台支柱１０に導かれ、後側支台支柱１０の下半部の溝部内に配備したエアシリンダ２１のピストンロッド２２の先端に連結される。
【００３０】
前記エアシリンダ２１は、上部と下部に足踏み操作弁２３を介してエア供給装置２４に接続される。
【００３１】
前記昇降作業台３は、中央部が前記後側支台支柱１０の正面に溶着され、上左腕部２５ａと上右腕部２５ｂを伸ばす上支杆２５と、同じく、同様の構成の下支杆２６が配備され、それら上支杆２５と下支杆２６の左右腕部の先端に前記メッキ用ハンガ２の背面に連接して支える左サイドガイドロッド２７ａと右サイドガイドロッド２７ｂが固着されて配備される。
【００３２】
前記方形台枠８は、四隅下面に移動用キャスタ２８が配備される。
【００３３】
本発明のメッキ用ハンガの昇降作業台装置は、以上のように構成されるから、足踏操作弁２３によりエアシリンダ２１に送りピストンロッド２２が上昇又は下降し、図１に示す高さに懸架スライダ１５を上昇させる。この高さで、メッキ用ハンガ２の下方の第３横支杆５ｃと第４横支杆５ｄの２段をＹ１で示す作業の容易な範囲に設定することができる。ここでその下方側の２段のワーク用フック６にワーク７を懸架する。そして、ワーク用フック６にワーク７が全部懸架したら、再び、足踏み操作弁２３によりエアシリンダ２１にエアを送りピストンロッド２２を上昇させて、懸架スライダ１５を降下し、メッキ用ハンガ２を仮線で示す位置に降下し、メッキ用ハンガ２の上方の第１横支杆５ａと第２横支杆５ｂの２段をＹ１で示す作業の容易な範囲に設定し、Ｙ２で示す作業の困難な範囲を避けてワーク７の懸架作業を続行し、一台のメッキ用ハンガ２に対するワーク７の懸架作業を完了することができる。
【００３４】
ワーク７をワーク用フック６に懸架作業中に、メッキ用ハンガ２の第１横支杆５ａ、第２横支杆５ｂ、第３横支杆５ｃ及び第４横支杆５ｄは、それらの各背面が夫々左サイドガイドロッド２７ａと右サイドガイドロッド２ｂにより支えられるので、それら各横支杆が動揺することがなく安定して作業を行うことができる。また、メッキ用ハンガ２をメッキラインに吊り替えするため、懸架作業場所から移動時においても、ワーク７の動揺を軽減させることができる。
【００３５】
前記懸架スライダ１５は、内側面に前記前側支台支柱９の左右の正面と背面に連接する左正面側コロ１９ａと左背面側コロ２０ａ及び右正面側コロ１９ｂと右背面側コロ２０ｂが配備されるから、昇降に抵抗がなく円滑に行えるものである。また、懸架スライダ１５の昇降にエアシリンダ等の動力源が用いられるから、操作弁の操作で所望の高さにメッキ用ハンガ２を配備することができ、楽な姿勢でワーク７の懸架作業を行うことができる。
【００３６】
以上から本発明のメッキ用ハンガの昇降作業台装置は、ワークの懸架作業時にメッキ用ハンガ２を最も作業が容易な高さに設定でき、しかもメッキ用ハンガ２を動揺させることなく安定して能率良く懸架作業を行うことができる。
【産業上の利用可能性】
【００３７】
本発明のメッキ用ハンガの昇降作業台装置は、ワークのメッキ用ハンガ懸架作業の能率化と疲労の軽減化を図ることができ、産業上の利用可能性が高いものである。
【符号の説明】
【００３８】
１  メッキ用ハンガの昇降作業台装置
２  メッキ用ハンガ
３  昇降作業台
４  縦主杆
４ａ  吊下フック
５ａ  第１横支杆
５ｂ  第２横支杆
５ｃ  第３横支杆
５ｄ  第４横支杆
６  ワーク用フック
７  ワーク
８  方形台枠
９  前側支台支柱
１０  後側支台支柱
１１ａ  前側中間台枠
１１ｂ  後側中間台枠
１２  滑車
１３  支軸
１４ａ  左側支板
１４ｂ  右側支板
１５  懸架スライダ
１５ａ  正面板
１５ａ１  上縁
１５ｂ  左側板
１５ｃ  右側板
１６  吊下フック掛部
１７  吊り索
１８  連結軸
１９ａ  左正面側コロ
１９ｂ  右正面側コロ
２０ａ  左背面側コロ
２０ｂ  右背面側コロ
２１  エアシリンダ
２２  ピストンロッド
２３  足踏み操作弁
２４  エア供給装置
２５  上支杆
２５ａ  上左腕部
２５ｂ  上右腕部
２６  下支杆
２７ａ  左サイドガイドロッド
２７ｂ  右サイドガイドロッド
２８  移動用キャスタ
Ｙ１  作業の容易な範囲
Ｙ２  作業の困難な範囲
【図１】
2015013710.tif 000003
【図２】
2015013710.tif 000004
【図３】
2015013710.tif 000005
【図４】
2015013710.tif 000006
【図５】
2015013710.tif 000007
【図６】
2015013710.tif 000008
【図７】
2015013710.tif 000009